(57)【要約】      （修正有）【課題】容易に連結、かつ高い嵌合力を有する嵌合構造によって連結する構造体を提供する。【解決手段】複数の構造部材同士を連結する嵌合構造１は、受け部材２と、嵌め部材３と、受け部材が有する受け部材内周部２５と、受け部材外周部２６と、嵌め部材が有する嵌め部材内周部３５と、嵌め部材外周部３６と、受け部材内周部が有する受け部材第１凸部２１、受け部材第２凸部２２および受け部材第３凸部２３と、受け部材外周部が有する受け部材係止部２４と、嵌め部材内周部が有する嵌め部材第１凸部３１、嵌め部材第２凸部３２および嵌め部材第３凸部３３と、嵌め部材外周部が有する嵌め部材係止部３４と、を備え、受け部材第１凸部と嵌め部材第１凸部とが接触関係を有し、受け部材第２凸部と嵌め部材第２凸部とが接触関係を有し、受け部材第３凸部と嵌め部材第３凸部とが接触関係を有し、受け部材係止部と嵌め部材係止部とが接触することで固定保持がなされる。【選択図】図５
2020128802.tif 000002
【特許請求の範囲】
【請求項１】
嵌合構造を含んで構成される構造体であって、
複数の構造部材と、
前記複数の構造部材同士を連結する嵌合構造と、を備え、
前記嵌合構造は、
受け部材と、
嵌め部材と、
前記受け部材が有する受け部材内周部と、
前記受け部材が有する受け部材外周部と、
前記嵌め部材が有する嵌め部材内周部と、
前記嵌め部材が有する嵌め部材外周部と、
前記受け部材内周部が有する受け部材第１凸部、受け部材第２凸部および受け部材第３凸部と、
前記受け部材外周部が有する受け部材係止部と、
前記嵌め部材内周部が有する嵌め部材第１凸部、嵌め部材第２凸部および嵌め部材第３凸部と、
前記嵌め部材外周部が有する嵌め部材係止部と、を備え、
前記受け部材第１凸部と前記嵌め部材第１凸部とが接触対応関係を有し、
前記受け部材第２凸部と前記嵌め部材第２凸部とが接触対応関係を有し、
前記受け部材第３凸部と前記嵌め部材第３凸部とが接触対応関係を有し、
前記受け部材係止部と前記嵌め部材係止部とが係止対応関係を有し、
前記接触対応関係において接触することで固定保持がなされ、
前記係止対応関係において係止することで係止保持がなされる、嵌合構造を含んで構成される構造体。
【請求項２】
前記構造部材の数、形状を異ならせることで、前記構造体の大きさおよび形状の少なくとも一つを異ならせることができる、請求項１記載の嵌合構造を含んで構成される構造体。
【請求項３】
前記嵌合構造が連結する前記構造部材の数を増加させることで、前記構造体の大きさを大きくでき、
前記嵌合構造が連結する前記構造部材の数を減少させることで、前記構造体の大きさを小さくできる、請求項１記載の嵌合構造を含んで構成される構造体。
【請求項４】
前記嵌合構造は、嵌合により連結した前記構造部材を分離することが可能である、請求項１から３のいずれか記載の嵌合構造を含んで構成される構造体。
【請求項５】
前記構造体は、枠体、箱体、筐体および建築材の少なくとも一つである、請求項１から４のいずれか記載の嵌合構造を含んで構成される構造体。
【請求項６】
前記嵌合構造は、前記構造部材の一部に備わる、請求項１から５のいずれか記載の嵌合構造を含んで構成される構造体。
【請求項７】
前記嵌め部材内周部の内部に前記受け部材内周部が入れられて、前記受け部材に対して前記嵌め部材が嵌合方向に回動されると、
前記受け部材第１凸部と前記嵌め部材第１凸部とがかしめられ、
前記受け部材第２凸部と前記嵌め部材第２凸部とがかしめられ、
前記受け部材第３凸部と前記嵌め部材第３凸部とがかしめられることで、前記受け部材と前記嵌め部材とが嵌合されて前記構造部材を連結する、請求項１から６のいずれか記載の嵌合構造を含んで構成される構造体。
【請求項８】
前記受け部材第１凸部と前記嵌め部材第１凸部とがかしめられ、
前記受け部材第２凸部と前記嵌め部材第２凸部とがかしめられ、
前記受け部材第３凸部と前記嵌め部材第３凸部とがかしめられると、
前記受け部材係止部と前記嵌め部材係止部とがかしめられ、前記受け部材と前記嵌め部材との嵌合状態の保持を行う、請求項７記載の嵌合構造を含んで構成される構造体。
【請求項９】
前記嵌合方向と逆方向である解放方向に、前記受け部材に対して前記嵌め部材が回動されると、
前記受け部材第１凸部と前記嵌め部材第１凸部とのかしめが外れ、
前記受け部材第２凸部と前記嵌め部材第２凸部とのかしめが外れ、
前記受け部材第３凸部と前記嵌め部材第３凸部とのかしめが外れて、嵌合状態が解放されて連結している前記構造部材が分離される、請求項１から８のいずれか記載の嵌合構造を含んで構成される構造体。
【請求項１０】
連結された前記構造部材の端部に挿入して前記構造体の角部を形成する角部材をさらに備える、請求項１から９のいずれか記載の嵌合構造を含んで構成される構造体。
【請求項１１】
前記角部材は、単数もしくは複数のユニットから構成可能であり、前記角部材は、前記構造部材の連結される数に対応する数の前記ユニットにより、構成可能である、請求項１０記載の嵌合構造を含んで構成される構造体。
【発明の詳細な説明】
【技術分野】
【０００１】
本発明は、嵌合構造によって構造部材同士が連結される部分を含む、嵌合構造を含んで構成される構造体に関する。
【背景技術】
【０００２】
箱体、様々な機器のケース、筐体、壁、建築材など、様々な用途や場面で構造部材が用いられる。これらの構造部材は、大きさ、形状、態様があらかじめ一体で形成されるものもある。一方で、同じ構造部材であっても、その用途や場面によって、大きさや形状が異なることもある。たとえば、同じ目的の機器ケースであっても、収納対象の機器によって、大きさや形状が相違することもある。
【０００３】
あるいは、壁や建築材などは、様々な用途や場面に応じて、様々な大きさにして使用されることがある。建築対象物によって、必要となる壁や建築物の大きさは、様々であるからである。
【０００４】
このため、これらの構造部材は、用途や場面に対応した大きさ、形状などを一体で形成されるのではなく、ユニット単位の複数の構造部材を連結して必要とされる大きさや形状に仕上げることも多い。たとえば、機器のケースや箱体であれば、複数の構造部材を連結して、異なる大きさの機器ケースや箱体を作ることがある。あるいは、壁材であれば、複数の構造部材を連結して、異なる面積の壁を作ることができる。
【０００５】
このように、最終的な用途や場面に対応する、種々の構造部材が広く用いられている。さらに上述のように、複数の構造部材が連結されて、最終的な用途や場面に適した大きさや形状の物体が形成できる。
【０００６】
この構造部材同士を連結するに当たっては、構造部材の端部同士を溶接したり接着したりすることがあり得る。しかし端部同士の溶接や接着では、連結強度が不十分となりえる。さらには溶接や接着での作業工程の増加やコストの増加が生じ、最終的な物体を形成するのに不適である。
【０００７】
このため、構造部材同士の連結において、構造部材の一部同士を嵌合させることが行われる。このため、構造部材の一部に嵌合構造が設けられている（嵌合部材が設けられている）。
【０００８】
ここで、構造部材の素材としては樹脂、金属、合金など様々なものが用いられる。これらの構造部材は、種々の加工方法で形成されるが、製造コストの低下や製造工程の簡略化のために、押し出し加工で製造されることがある。押し出し加工は、金属や合金を金型に合わせて押し出して形状を形成する。この押し出し加工により、嵌合構造を備える構造部材が製造される。
【０００９】
このようにして製造された構造部材の嵌合構造同士が、嵌合されて、複数の構造部材が連結される。従来技術の嵌合構造としては、いわゆる互い違いのほぞのような構造をもつものがある。凸部と凹部とを合わせることで、構造部材同士が嵌合される。このとき、凸部と凹部とがテーパー部を持っていることで、嵌合された後で、連結もなされる。
【００１０】
構造体を構成する構造部材は、このような嵌合構造を含むことがある。あるいは、構造部材と独立した嵌合部材が嵌合構造として用意されることもある。このような嵌合構造によって構造部材同士が連結される。構造部材が連結されれば、他の部材との組み合わせも含めて、構造体が構成できる。たとえば、箱体、枠体、筐体、機器ケース、建築材などの構造体が構成できる。
【００１１】
このとき、構造体を構成する構造部材が、嵌合構造によってフレキシブルに連結できると、構造体の大きさや形状をフレキシブルに変更できる。たとえば、枠体や箱体は、縦、横、幅などの大きさの要素を有している。ユニット化された構造部材が嵌合構造によって連結されると、この縦、横、幅などの大きさを変化させることができる。結果として、全体の大きさや形状を変えた構造体を実現できる。
【００１２】
このような構造部材同士を嵌合させて構成する構造体は便利である。様々な分野で、このような構造体の必要性が高まっている。たとえば、内部に電子機器を格納する筐体は、内部の電子機器の形状や大きさによって、その筐体の大きさや形状を変化させることが求められている。あるいは、建築材などは、建築対象物によって異なる大きさとして構成されることが求められる。
【００１３】
このため、大きさや形状のフレキシビリティのある構造体を実現する嵌合構造の必要性も高まっている。
【００１４】
図１５は、従来技術での嵌合構造を示す模式図である。凸部１０１と凹部１０２とが嵌合することで、構造部材同士が嵌合される。ここでは、構造部材１１０が凸部１０１を備え、構造部材１２０が凹部１０２を備える。しかし後述する問題のように、ほぞのような凸部１０１と凹部１０２との面接触での嵌合である。このため、加工精度が不十分であると、隙間２００が生じてしまう。隙間２００が生じると、嵌合が不十分となる問題がある。
【００１５】
このように構造部材同士を連結するための嵌合構造についての技術が提案されている（例えば、特許文献１、２参照）。
【先行技術文献】
【特許文献】
【００１６】
【特許文献１】特開２０１３−１３３９０１号公報
【特許文献２】特許第６２２８７０３号公報
【発明の概要】
【発明が解決しようとする課題】
【００１７】
特許文献１は、支柱１０と梁２０とを連結する連結金具３０が、支柱１０の内部に挿入されており、支柱１０には内側に凹んだ凹板１１と凹板１１の開口部を塞ぐ表板１２とで囲まれた空洞部１３が形成されており、凹板１１と連結金具３０とは頭部４２が空洞部１３に収められたボルト４０で締結されており、頭部４２には表板１２に形成された孔に挿入されたボルトキャップ４３が被せられている。外観においてボルト４０が目立たず、ボルト４０の締結による支柱１０の窪みが表面に表れず、意匠性に優れている。ボルト４０が露出していないので腐食しにくい枠材の連結構造を開示する。
【００１８】
特許文献１は、一般的な「ほぞ」とは異なるが、凹部と凸部とを嵌合させることで枠材を連結させる技術を開示する。
【００１９】
しかしながら、この連結構造では、次のような問題がある。
【００２０】
（問題１）凸部と凹部とを嵌合させて枠材同士を確実に連結（外れたりゆるんだりしないように）するためには、凸部と凹部のそれぞれの嵌合部分に隙間がなく、ぴったりと合わさる必要がある。しかしながら、このように隙間のないぴったりとした形態とするには、部材の加工、製造を精密に行う必要がある。成型時の精度向上や、成型後に研磨などで加工精度を上げるなどの必要がある。このため、嵌合部分を含む枠材の製造における製造時間、コストが増加する問題がある。
【００２１】
（問題２）問題１に対応するため、凸部と凹部との嵌合部分を緩めに（遊びを残して）製造すると、接着剤やねじなどで結合を実現する必要がある。この場合には、嵌合による連結における工程が増加する問題がある。当然に、嵌合を外す場合の不便も大きくなる。
【００２２】
特許文献２は、木材の結合構造は、ほぞ穴８にほぞ６を嵌合した状態で、ピン孔１０ａ〜１０ｃの一方開口側からピン１２の頭部１２ｂを打ち込むことにより、ほぞ穴８の少なくとも一部においてピン１２がほぞ６の少なくとも一部を貫通し、ピン１２の先端部１２ａをピン孔１０ａ〜１０ｃの他方開口側に至らしめることでピン結合１４ａ〜１４ｃを形成し、ピン１２は、少なくとも先端部１２ａ近傍から頭部１２ｂ近傍に亘って貫通した中空３０ａを有するパイプ３０を含む木材結合用のピンを、開示する。
【００２３】
特許文献２は、凸部と凹部とを組み合わせた後で、ピンでこれを固定する技術を開示する。
【００２４】
しかしながら、特許文献２も、上述した問題２（場合によっては問題１も）を有する。凸部と凹部との嵌合による固定レベルを上げようとすると、加工精度の向上の必要があり、製造時間や製造コストの増加の問題がある。また、ピンを用いて嵌合を固定する特許文献２の技術では、上述した問題２を有している。すなわち、固定のためにピンを用いた工程が増えることで、嵌合による連結工程が増加する。また、嵌合を解放する際に不便である。
【００２５】
以上を整理すると、従来技術での構造部材同士を連結させる嵌合構造では上述のような問題１、問題２があった。特に、嵌合構造同士のはめ合わせのみで十分な固定力のある嵌合を実現するには、嵌合部の加工精度を十分とする必要がある。この場合には、製造や加工時間やコストが増加する。特に面接触での嵌合では、十分な固定を生むようにぴったりとさせると、嵌合のための嵌め込みが難しくなる問題がある。逆に、遊びを残すと固定力が弱まる問題がある。もちろん、加工工程を少なくすれば、加工精度が不十分となる問題がある。
【００２６】
構造部材や嵌合部が金属や合金を素材とする場合には、この加工の問題が特に大きい。
【００２７】
特許文献１や２のような凸部と凹部との面接触での嵌合では、このような加工精度の問題が生じる。これは、図１５で説明した問題である。
【００２８】
あるいは、凸部と凹部との面接触部分の遊びをあらかじめ大きくして、接着剤やねじなどで固定する場合には、嵌合作業の工程が増加する問題がある。また、作業における不便さに加えて、嵌合を解放する場合に不便である問題もある。
【００２９】
特に、構造部材同士を連結して形状や面積を変化させる必要がある場合においては、これらの問題がより大きくなる。必要に応じた数や種類の構造部材を連結したり外したりする必要があり、上述の問題は、この必要性にとって好ましくないからである。また、構造部材を連結して様々な機器のケース、筐体、壁、建築材を実現する場合には、コスト低減は必須条件である。この点においても、上述の問題は好ましくない。
【００３０】
このような従来技術の嵌合部材では、十分な嵌合力と容易な作業性を有していないので、嵌合構造による構造体の実現に困難性がある。嵌合構造そのものの製造コストが高いことで、構造体の製造コストも高くなる。あるいは、嵌合構造の精度が不十分であることで、構造体の強度に不十分な問題も生じる。
【００３１】
あるいは、接着剤やねじなどを必要とすると、大きさや形状をフレキシブルに変化させる構造体の実現が難しくなる問題もある。
【００３２】
本発明は、容易かつ高い嵌合力を有する嵌合構造によって構造部材が連結され、これにより構成される、嵌合構造を含んで構成される構造体を提供することを目的とする。
【課題を解決するための手段】
【００３３】
上記課題に鑑み、本発明の嵌合構造を含んで構成される構造体は、嵌合構造を含んで構成される構造体であって、
複数の構造部材と、
複数の構造部材同士を連結する嵌合構造と、を備え、
嵌合構造は、
受け部材と、
嵌め部材と、
受け部材が有する受け部材内周部と、
受け部材が有する受け部材外周部と、
嵌め部材が有する嵌め部材内周部と、
嵌め部材が有する嵌め部材外周部と、
受け部材内周部が有する受け部材第１凸部、受け部材第２凸部および受け部材第３凸部と、
受け部材外周部が有する受け部材係止部と、
嵌め部材内周部が有する嵌め部材第１凸部、嵌め部材第２凸部および嵌め部材第３凸部と、
嵌め部材外周部が有する嵌め部材係止部と、を備え、
受け部材第１凸部と嵌め部材第１凸部とが接触対応関係を有し、
受け部材第２凸部と嵌め部材第２凸部とが接触対応関係を有し、
受け部材第３凸部と嵌め部材第３凸部とが接触対応関係を有し、
受け部材係止部と嵌め部材係止部とが係止対応関係を有し、
接触対応関係において接触することで固定保持がなされ、
係止対応関係において係止することで係止保持がなされる。
【発明の効果】
【００３４】
本発明の構造体は、点接触での嵌合構造によりその大きさや形状を変化させることができる。特に、構造部材同士の接着剤等を不要とした嵌合により、大きさを構成する幅や長さを大きくできる。あるいは、接着剤やねじなどを不要とした嵌合を外すことで、その大きさを小さくすることも容易である。
【００３５】
また、構造部材同士の連結や取り外しを容易に行えるので、必要な場所において、フレキシブルに構造体の大きさや形状を変化させることもできる。
【００３６】
構造体の大きさや形状を変化させることが容易であることで、大きさや形状の相違を必要とする場面に適切に対応できる。
【図面の簡単な説明】
【００３７】
【図１】本発明の実施の形態１における構造体の斜視図である。
【図２】本発明の実施の形態１における構造体の一部を示す一部構造体の模式図である。
【図３】本発明の実施の形態１における構造体の一部を示す一部構造体の模式図である。
【図４】本発明の実施の形態１における嵌合構造の側面図である。
【図５】本発明の実施の形態１における嵌合構造の嵌合状態を示す側面図である。
【図６】本発明の実施の形態２における受け部材の側面図である。
【図７】本発明の実施の形態２における嵌め部材の側面図である。
【図８】本発明の実施の形態３における構造体を構成する部材の一部を示す斜視図である。
【図９】図８の後の状態であり、受け部８１に挿入部５１が挿入されて、一部構造体１００と角部材５０とが連結された状態を示す斜視図である。
【図１０】本発明の実施の形態３における一部構造体に角部材が連結された構造体の一部の斜視図である。
【図１１】本発明の実施の形態３における枠体の態様を有する構造体の斜視図である。
【図１２】本発明の実施の形態３における枠体を構成する一連の模式図である。
【図１３】本発明の実施の形態３における角部材の斜視図である。
【図１４】本発明の実施の形態３における角部材のユニットによる連結あるいはユニットへの分離を示す模式図である。
【図１５】従来技術での嵌合構造を示す模式図である。
【発明を実施するための形態】
【００３８】
本発明の第１の発明に係る嵌合構造を含んで構成される構造体は、嵌合構造を含んで構成される構造体であって、
複数の構造部材と、
複数の構造部材同士を連結する嵌合構造と、を備え、
嵌合構造は、
受け部材と、
嵌め部材と、
受け部材が有する受け部材内周部と、
受け部材が有する受け部材外周部と、
嵌め部材が有する嵌め部材内周部と、
嵌め部材が有する嵌め部材外周部と、
受け部材内周部が有する受け部材第１凸部、受け部材第２凸部および受け部材第３凸部と、
受け部材外周部が有する受け部材係止部と、
嵌め部材内周部が有する嵌め部材第１凸部、嵌め部材第２凸部および嵌め部材第３凸部と、
嵌め部材外周部が有する嵌め部材係止部と、を備え、
受け部材第１凸部と嵌め部材第１凸部とが接触対応関係を有し、
受け部材第２凸部と嵌め部材第２凸部とが接触対応関係を有し、
受け部材第３凸部と嵌め部材第３凸部とが接触対応関係を有し、
受け部材係止部と嵌め部材係止部とが係止対応関係を有し、
接触対応関係において接触することで固定保持がなされ、
係止対応関係において係止することで係止保持がなされる。
【００３９】
この構成により、大きさや形状のフレキシブルな構造体を実現できる。
【００４０】
本発明の第２の発明に係る嵌合構造を含んで構成される構造体では、第１の発明に加えて、構造部材の数、形状を異ならせることで、構造体の大きさおよび形状の少なくとも一つを異ならせることができる。
【００４１】
この構成により、嵌合構造で連結される構造部材の変化によって、構造体そのもののフレキシビリティを上げることができる。
【００４２】
本発明の第３の発明に係る嵌合構造を含んで構成される構造体では、第１の発明に加えて、嵌合構造が連結する構造部材の数を増加させることで、構造体の大きさを大きくでき、
嵌合構造が連結する構造部材の数を減少させることで、構造体の大きさを小さくできる。
【００４３】
この構成により、構造部材の数の変化だけで、構造体の大きさを変化できる。
【００４４】
本発明の第４の発明に係る嵌合構造を含んで構成される構造体では、第１から第３のいずれかの発明に加えて、嵌合構造は、嵌合により連結した構造部材を分離することが可能である。
【００４５】
この構成により、構造体のサイズダウンを、嵌合構造の分離のみで実現できる。
【００４６】
本発明の第５の発明に係る嵌合構造を含んで構成される構造体では、第１から第４のいずれかの発明に加えて、構造体は、枠体、箱体、筐体および建築材の少なくとも一つである。
【００４７】
この構成により、様々な用途に使用できる。
【００４８】
本発明の第６の発明に係る嵌合構造を含んで構成される構造体では、第１から第５のいずれかの発明に加えて、嵌合構造は、構造部材の一部に備わる。
【００４９】
この構成により、嵌合による連結後の構造体の強度が高まる。
【００５０】
本発明の第７の発明に係る嵌合構造を含んで構成される構造体では、第１から第６のいずれかの発明に加えて、嵌め部材内周部の内部に受け部材内周部が入れられて、受け部材に対して嵌め部材が嵌合方向に回動されると、
受け部材第１凸部と嵌め部材第１凸部とがかしめられ、
受け部材第２凸部と嵌め部材第２凸部とがかしめられ、
受け部材第３凸部と嵌め部材第３凸部とがかしめられることで、受け部材と嵌め部材とが嵌合されて構造部材を連結する。
【００５１】
この構成により、複数の凸部同士のかしめにより、受け部材と嵌め部材とが嵌合する。
【００５２】
本発明の第８の発明に係る嵌合構造を含んで構成される構造体では、第７の発明に加えて、受け部材第１凸部と嵌め部材第１凸部とがかしめられ、
受け部材第２凸部と嵌め部材第２凸部とがかしめられ、
受け部材第３凸部と嵌め部材第３凸部とがかしめられると、
受け部材係止部と嵌め部材係止部とがかしめられ、受け部材と嵌め部材との嵌合状態の保持を行う。
【００５３】
この構成により、係止部同士の係止が、嵌合状態の保持を行い、不測の嵌合状態の分離を防止できる。
【００５４】
本発明の第９の発明に係る嵌合構造を含んで構成される構造体では、第１から第８のいずれかの発明に加えて、嵌合方向と逆方向である解放方向に、受け部材に対して嵌め部材が回動されると、
受け部材第１凸部と嵌め部材第１凸部とのかしめが外れ、
受け部材第２凸部と嵌め部材第２凸部とのかしめが外れ、
受け部材第３凸部と嵌め部材第３凸部とのかしめが外れて、嵌合状態が解放されて連結している構造部材が分離される。
【００５５】
この構成により、回動のみによって、嵌合を解放することもできる。
【００５６】
本発明の第１０の発明に係る嵌合構造を含んで構成される構造体では、第１から第９のいずれかの発明に加えて、連結された構造部材の端部に挿入して構造体の角部を形成する角部材をさらに備える。
【００５７】
この構成により、枠体などを実現できる。
【００５８】
本発明の第１１の発明に係る嵌合構造を含んで構成される構造体では、第１０の発明に加えて、角部材は、単数もしくは複数のユニットから構成可能であり、角部材は、構造部材の連結される数に対応する数のユニットにより、構成可能である。
【００５９】
この構成により、角部材の大きさも、構造部材の連結数に合わせてフレキシブルに対応できる。
【００６０】
以下、図面を参照しながら、本発明の実施の形態を説明する。
【００６１】
（実施の形態１）
【００６２】
図１は、本発明の実施の形態１における構造体の斜視図である。構造体５００は、複数の構造部材と、この複数の構造部材を連結する嵌合構造によって実現される。すなわち、複数の構造部材が嵌合によって連結および組み合わせによって、構造体５００は実現されている。
【００６３】
図１では、構造体５００の一例として、枠体が示されている。構造体５００は、構造部材が嵌合によって組み合されて実現されるので、枠体以外でも、箱体、筐体、建築材の少なくとも一つであってもよい。もちろん、これら以外の種類の構造体も含む。
【００６４】
図１の構造体５００は、たとえば、下方の辺において構造部材２８、構造部材３８、構造部材４８が嵌合構造１Ａと嵌合構造１Ｂとで連結される。構造体５００は、方形の枠体であるので、４つの辺を有する。それぞれの辺において、複数の構造部材が嵌合されて連結される。例として、下方の辺においては、構造部材２８、構造部材３８、構造部材４８が嵌合構造１Ａと嵌合構造１Ｂとで嵌合される。他の辺においても同様の連結が行われて、全体が構成される。
【００６５】
また、図１の構造体５００は、方形の枠体であるので、角部に角部材５０が備わっている。４つの辺のそれぞれは、複数の構造部材８０が嵌合構造１によって嵌合されて連結される。この連結された４つの辺を、更に枠体として組み合わせるために、４つの辺の角部となるそれぞれの位置に、角部材５０が嵌め込まれて枠体としての構造体５００が構成できる。図１は、このようにして構成された構造体５００を示す。なお、角部材５０は、角部を嵌めあわせたり連結したりする必要がある場合に用いられれば良く、必要ないときには用いられない。
【００６６】
（全体概要）
構造体５００の全体概要を説明する。
【００６７】
構造体５００は、嵌合構造１を含んで構成される。構造体５００は、複数の構造体８０と、複数の構造体８０同士を連結する嵌合構造１と、を備える。図１では、構造部材８０の例として、構造部材２８、構造部材３８、構造部材４８が示されている。複数の構造部材８０は、構造体５００の形態、形状、大きさを形作る基本的な要素であり、嵌合構造１によって連結される構造部材８０の数や種類によって、構造体５００の形状、大きさ、態様を変化させることができる。
【００６８】
たとえば、図１のような枠体の構造体５００の場合には、辺を構成する構造部材８０の数が多くなれば、辺の幅を大きくすることができる。図１では、ある辺においては、３つの構造部材２８、３８、４８が連結されている。これを４つ以上の構造部材８０の連結を行えば、辺の幅を大きくすることができる。他の辺も同じように対応すれば、構造体５００の大きさをサイズアップすることができる。
【００６９】
逆に、構造部材２８と構造部材３８だけにすれば、辺の幅を小さくすることができる。この結果、構造体５００の大きさをサイズダウンすることができる。
【００７０】
また、複数の構造部材８０の形状を変えることで、複数の構造部材８０同士が連結されて構成される構造体５００の形状を変化させることもできる。このように、構造体５００は、構造部材８０の嵌合による連結のバリエーション（および構造部材８０そのもののバリエーション）によって、構造体５００の大きさや形状などを、容易に変化させることができる。嵌合構造１による複数の構造部材８０の連結あるいは分離により実現されるからである。
【００７１】
構造体５００は、上述の通り、嵌合構造１を備える。この嵌合構造１によって複数の構造部材８０同士の連結、あるいは分離がなされる。なお、以下においては、嵌合構造１を嵌合部材１として把握してもよい。これは、本明細書および本発明の全体にわたって同様である。
【００７２】
図２は、本発明の実施の形態１における構造体の一部を示す一部構造体の模式図である。図２では、図１で示されるような枠体の構造体５００の一部を、一部構造体１００として示している。たとえば、構造体５００の一部の辺が、図２の一部構造体１００であると、把握されればよい。
【００７３】
構造部材２８と構造部材３８とが、嵌合構造１で連結される。嵌合構造１は、後述するように、受け部材２と嵌め部材３とを備え、受け部材２と嵌め部材３同士の組み合わせによって、嵌合を実現する。ここで、構造部材２８および構造部材３８と、嵌合構造１とが分離している部材であってもよいし、一体となっている部材であってもよい。図２では、構造部材２８に受け部材２が一体化されており、構造部材３８に嵌め部材３が一体化されている。
【００７４】
受け部材２と嵌め部材３とが組み合されて嵌合されることで、構造部材２８と構造部材３８とが連結される。このような構造部材２８、３８とが嵌合構造１で嵌合されて連結されることで、最終的には図１のような構造体５００を実現することができる。他の構造部材８０が嵌合構造１によって連結されれば、一部構造体１００が更に大きくなり、結果としての構造体５００を大きくすることができる。たとえば、構造部材３８に構造部材４８が連結されれば、より大きな一部構造体１００を実現できる。最終的には図１のような大きさの構造体５００を実現できる。
【００７５】
図３は、本発明の実施の形態１における構造体の一部を示す一部構造体の模式図である。図２の一部構造体１００に比較して、より多くの構造部材が連結されている。図３では、構造部材２８、構造部材３８、構造部材４８、構造部材５８、構造部材６８との数の構造部材が、それぞれ嵌合構造１によって嵌合されて連結されている。
【００７６】
図２の一部構造体１００に比較して、図３の一部構造体１００は、その大きさが大きくなっている。このとき、嵌合構造１での嵌合のみで多数の構造部材が連結されているだけであり、ねじ止めや接着剤を必要としない。このため、必要に応じて、容易に一部構造体１００の大きさを変化させることができる。
【００７７】
図３では、４つの嵌合構造１（嵌合部材１）によって、５つの構造部材が嵌合されて連結されている。このように、嵌合構造１の数を増やしていけば、連結される構造部材８０の数を増やすこともできる。結果として構造体５００の大きさを大きくしていくことができる。あるいは、異なる形状の構造部材８０を連結することで、構造体５００の形状を変化させることができる。
【００７８】
図３の一部構造体１００では、嵌合構造１Ａは、第１構造部材２８と第２構造部材３８を連結している。嵌合構造１Ｂは、第２構造部材３８と第３構造部材４８を連結している。嵌合構造１Ｃは、第３構造部材４８と第４構造部材５８を連結している。嵌合構造１Ｄは、第４構造部材５８と第５構造部材６８を連結している。
【００７９】
このようにして多くの数の構造部材８０を連結している。これは図２の一部構造体１００よりも大型化している。
【００８０】
図２から図３への変化は、嵌合構造１により連結される構造部材８０の数が増えて、一部構造体１００が大きくなった状態を示している。
【００８１】
逆に、嵌合構造１は、後述するように分離することも可能である。分離されれば、連結している構造部材８０の数を減らすこともできる。減らすことができれば、一部構造体１００の大きさをサイズダウンでき、結果として構造体５００のサイズダウンも実現できる。図３の状態から図２の状態への変化は、一部構造体１００が小さくなった状態を示している。
【００８２】
このように、構造体５００は、嵌合構造１を含むことで、嵌合構造１による嵌合あるいは分離によって構成する構造部材８０の数を容易に増減できる。構造部材８０の増減によって、構造体５００の大きさを容易に変化させることができる。また、連結あるいは分離する構造部材８０の形状の変化によって、構造体５００の形状を容易に変化させることができる。
【００８３】
ここで、下記に説明するように、構造体５００が含む嵌合構造１は、ねじや接着剤などを必要とせずに、手作業で嵌合あるいは分離ができる。加えて、十分な力での嵌合も実現できる。これにより、図２、図３のように大きさの相違する一部構造体１００を、必要に応じて容易に実現できる。
【００８４】
（嵌合構造）
構造体５００は、嵌合構造１を含んで構成される。嵌合構造１は、構造体５００の構成要素である構造部材８０を連結する。この嵌合構造１について説明する。
【００８５】
図４は、本発明の実施の形態１における嵌合構造の側面図である。嵌合構造１は、嵌合部材１と同義と考えてよい。嵌合構造１は、構造部材８０を連結する場合に用いられる構造であり、嵌合構造１を部材として実現すると嵌合部材となる。下記の嵌合構造１の説明は、嵌合部材の説明として置き換えることも可能である。
【００８６】
嵌合構造１は、受け部材２と嵌め部材３を備える。この受け部材２と嵌め部材３とが嵌めあわされることで嵌合が実現され、外されることで嵌合が解放される。受け部材２と嵌め部材３とは、別部材であり、図４のように物理的に分離可能であればよいが、何らかの形態でその一部同士がつながっていることなどを排除しない。受け部材２と嵌め部材３とが、組み合わせたり外したりすることで、嵌合と解放とが実現できる態様であればよい。
【００８７】
また、図４に示されるように、構造部材８０と嵌合構造１を構成する部材の一部とが、一体であることでもよい。図４では、図２、図３のように、構造部材２８に受け部材２が一体化されており、構造部材３８に嵌め部材３が一体化されている。
【００８８】
受け部材２は、受け部材内周部２５と受け部材外周部２６を備える。受け部材内周部２５および受け部材外周部２６は、受け部材２の一部である。受け部材内周部２５は、受け部材第１凸部２１、受け部材第２凸部２２、受け部材第３凸部２３を備える。受け部材外周部２６は、受け部材係止部２４を備える。
【００８９】
また、図４に示されるように、受け部材２は、受け部材内周部２５が円弧のような曲線の一部を有している、受け部材外周部２６は、この受け部材内周部２５の外側にあり、やはり円弧のような曲線の一部を有している。もちろん、円弧のような曲線の一部であって、完全な円弧や曲線を有していなければならないわけではない。
【００９０】
嵌め部材３は、嵌め部材内周部３５と嵌め部材外周部３６を備える。嵌め部材内周部３５は、円弧のような曲線の一部を有している。嵌め部材外周部３６は、この嵌め部材内周部３５の外側に伸びる。嵌め部材内周部３５および嵌め部材外周部３６は、嵌め部材３の一部である。
【００９１】
嵌め部材内周部３５は、嵌め部材第１凸部３１、嵌め部材第２凸部３２、嵌め部材第３凸部３３を備える。嵌め部材外周部３６は、嵌め部材係止部３４を備える。これらは、受け部材２と対応した構成である。詳細な形状などは相違するが、受け部材２と嵌め部材３とが組み合されることで嵌合構造１が実現されるので、受け部材２に備わる各要素と嵌め部材３に備わる各要素とは、対応関係を有している。
【００９２】
すなわち、次のような対応関係を有している。
【００９３】
受け部材第１凸部２１と嵌め部材第１凸部３１とは、接触対応関係を有する。
受け部材第２凸部２２と嵌め部材第２凸部３２とは、接触対応関係を有する。
受け部材第３凸部２３と嵌め部材第３凸部３３とは、接触対応関係を有する。
受け部材係止部２４と嵌め部材係止部３４とは、係止対応関係を有する。
【００９４】
接触対応関係とは、受け部材２と嵌め部材３とが組み合されて嵌合を実現する際に、相互に接触してかしめられる（嵌めあわされる）関係である。係止対応関係とは、受け部材２と嵌め部材３とが組み合されて嵌合を実現する際に、相互に係止を実現する関係である。
【００９５】
すなわち、接触対応関係において、接触することで固定保持がなされる。係止対応関係において係止することで係止保持がなされる。これらの嵌合構造１が、構造部材８０同士を連結して、構造体５００を構成する。
【００９６】
（嵌合構造における嵌合状態）
図５は、本発明の実施の形態１における嵌合構造の嵌合状態を示す側面図である。図５の状態は、嵌合前の嵌合構造１を示している。嵌め部材内周部３５の内部に受け部材内周部２５が入れられる。このとき、受け部材外周部２６の内部に嵌め部材外周部３６が入れられる。図４、図５でのいずれも、この状態が示されている。このように、まず、受け部材２と嵌め部材３とが組み合される。
【００９７】
次に、受け部材２に対して嵌め部材３が図５にある嵌合方向に回動される。図５では、矢印により、嵌合方向を示している。なお、後述するが、嵌合方向と逆側の矢印が解放方向を示している。受け部材２に対して嵌め部材３が嵌合方向に回動されると、受け部材内周部２５と嵌め部材内周部３５とが上述した接触対応関係による接触が生じていく。同様に、受け部材外周部２６と嵌め部材外周部３６とが上述した係止対応関係による係止が生じていく。
【００９８】
嵌合方向に回動が進むと、図４から図５の状態になる。この状態となると、接触対応関係は実際にかしめられる状態となり、係止対応関係は、実際に係止される状態となる。
【００９９】
受け部材第１凸部２１と嵌め部材第１凸部３１とがかしめられる。接触対応関係のそれぞれが回動によって実際に接触して相互に固定される状態となる。これがかしめられた状態である。同様に、受け部材第２凸部２２と嵌め部材第２凸部３２とがかしめられる。合わせて、受け部材第３凸部２３と嵌め部材第３凸部３３とがかしめられる。図５は、この状態を示している。
【０１００】
このように、受け部材第１凸部２１と嵌め部材第２凸部３１とがかしめられ、受け部材第２凸部２２嵌め部材第２凸部３２とがかしめられ、受け部材第３凸部２３と嵌め部材第３凸部３３とがかしめられると、受け部材内周部２５と嵌め部材内周部３５とが嵌合する。すなわち、受け部材２と嵌め部材３とが嵌合状態となる。
【０１０１】
この受け部材２と嵌め部材３との嵌合状態により、受け部材２につながる構造部材２８と嵌め部材３につながる構造部材３８とが連結される。これは、図２、図３などの複数の構造部材が連結される場合も同じである。受け部材２と嵌め部材３の組み合わせと回動のみで、嵌合構造１は、嵌合する。この手作業でも可能な嵌合により、構造部材２８と構造部材３８とが連結されて、複数の構造部材８０が連結される状態が実現できる。構造部材８０の連結される数が多くなれば、構造体５００の大きさや形状を変化させることができる。
【０１０２】
図４、図５では、嵌合構造１の少なくとも一部が構造部材８０に備わっている。受け部材２が構造部材２８に備わり、嵌め部材３が構造部材３８に備わる状態である。このように嵌合構造１の少なくとも一部が、構造部材８０に備わっていることで、嵌合構造１による構造部材８０の連結強度が高まるメリットがある。
【０１０３】
もちろん、嵌合構造１が構造部材８０とは別体として設けられてもよい。この場合には、嵌合構造１を実現する嵌合部材と構造部材８０を高い自由度で組み合わせて、構造体５００を実現できるメリットがある。
【０１０４】
受け部材２と嵌め部材３とが嵌合方向に回動されて、受け部材第１凸部２１と嵌め部材第１凸部３１とが接触状態となる位置状態で、受け部材第２凸部２２と嵌め部材第２凸部３２も接触状態となり、受け部材第３凸部２３と嵌め部材第３凸部３３も接触状態となる。受け部材２と嵌め部材３とは、このような位置関係も有している。このため、嵌め部材内周部３５の内部に受け部材内周部２５が挿入されて、嵌合方向に回動されれば、上述の通り、それぞれの凸部同士が同時にかしめられる。この同時にかしめられることにより、受け部材２と嵌め部材３とは嵌合状態となる。
【０１０５】
また、受け部材第１凸部２１と嵌め部材第１凸部３１とがかしめられ、受け部材第２凸部２２と嵌め部材第２凸部３２とがかしめられ、受け部材第３凸部２３と嵌め部材第３凸部３３とがかしめられると、受け部材係止部２４と嵌め部材係止部３４とがかしめられて係止状態となる。受け部材係止部２４と嵌め部材係止部３４の位置関係も、それぞれの凸部の接触位置と対応している。
【０１０６】
このため、図５に示されるように、嵌合方向に回動されて所定の位置（受け部材第１凸部２１と嵌め部材第１凸部３１とがかしめられる位置）になると、すべての凸部と係止部が、かしめられる状態となる。このかしめられる状態により、受け部材２と嵌め部材３とが嵌合状態となる。また、受け部材係止部２４と嵌め部材係止部３４との係止状態により、嵌合状態の保持が行われる。
【０１０７】
すなわち、第１凸部〜第３凸部の相互のかしめによって、嵌合が実現される。加えて、係止部同士の相互のかしめによって、嵌合状態の保持が行われる。このようにして、受け部材２と嵌め部材３とは、嵌合構造１の嵌合を実現できる。加えて、嵌合状態を十分に保持できるので、嵌合構造１は、強い嵌合力を実現できる。
【０１０８】
また、従来技術のほぞのはめ合わせのように、サブミリ単位の加工精度を必要としない。従来技術のほぞの嵌めあわせは、面接触による嵌合であることで、確実な嵌合をするにはサブミリ単位での加工精度が必要であった。
【０１０９】
これに対して、実施の形態１の嵌合構造１は、第１凸部〜第３凸部での複数個所での点接触（数学的な点ということではなく狭い面領域をも含む意味）により、嵌合を実現できる。このため、第１凸部〜第３凸部の相互の対応位置関係を実現できれば、ほぞのような広い面全体の微細な加工精度は要求されない。
【０１１０】
加えて、受け部材係止部２４と嵌め部材係止部３４との係止により、嵌合が保持されるので、非常に微細な加工精度がなくとも、嵌合状態の保持もなされる。
【０１１１】
従来技術の嵌合では、接着剤やねじなどを必要とすることもあった。これに対して、実施の形態１の嵌合構造１は、第１凸部などのかしめのみで嵌合するので、接着剤やねじなども不要である。後述するように、解放方向に回動させるだけで、嵌合状態が解放されるので、嵌合と解放とを繰り返し実現することも容易である。
【０１１２】
また、受け部材２と嵌め部材３との組み合わせ状態での回動のみで嵌合を実現できる。このため、嵌合構造１は、様々な構造部材８０に適用することで、構造部材８０の連結を容易に実現できる。また、嵌合の実現においては、だれでも容易にでき、特殊な技術や熟練の技術を要しない。このため、構造部材８０の連結が必要になる際に、だれでも容易に嵌合作業を行える。同様に、嵌合された構造部材８０の取り外しの際にも、だれでも容易に嵌合の解放作業を行える。
【０１１３】
また、嵌合構造１を複数用いることで、更に多くの構造部材８０を連結できるメリットもある（例えば、図２と図３の違いなどがこの結果である）。この結果、構造部材８０の連結による筐体などのフレキシブルな大型化（あるいは小型化）を実現できる。
【０１１４】
（嵌合の解放）
図５は、上述の通り、受け部材２と嵌め部材３とが嵌合して、嵌合構造１が、嵌合状態となっている。この状態から、嵌合方向と逆方向である解放方向（図５の矢印で示される）に、受け部材２に対して嵌め部材３が回動されると、嵌合が解放される。このとき、事前に受け部材係止部材２４と嵌め部材係止部材３４との係止状態が解放されていれば、解放方向に向けての回動によって、受け部材２と嵌め部材３との嵌合が分離される。
【０１１５】
解放方向への回動によって、受け部材第１凸部２１と嵌め部材第１凸部３１とのかしめが外れ、受け部材第２凸部２２と嵌め部材第２凸部３２とのかしめが外れ、受け部材第３凸部２３と嵌め部材第３凸部３３とのかしめが外れる。
【０１１６】
これらの凸部同士のかしめが外れることで、受け部材内周部２５と嵌め部材内周部３５との嵌合状態が解放され、受け部材２と嵌め部材３との嵌合が解放される。
【０１１７】
ここで、解放方向の回動の際に、強い力での回動がなされることで、受け部材係止部２４と嵌め部材係止部３４との係止状態が解消される。あるいは、手作業によって係止状態を外す。この係止状態の解消によって、上述したいような回動ができるようになる。回動によって、凸部同士のかしめが外れると、受け部材２と嵌め部材３との嵌合が解放される。図５から図４の状態へ変化する。
【０１１８】
このように、嵌合構造１は、図４の嵌合前の組み合わせの状態と解放後の状態を繰り返すことができる。この繰り返しにより、嵌合と解放とを変化させることができる。このため、嵌合構造１を備える構造部材８０は、嵌合によって連結させることができ、解放によって分離することができる。
【０１１９】
もちろん、嵌合構造１は、嵌合部材としてとらえられても同様である。
【０１２０】
以上の図４、図５を用いて説明したように、嵌合構造１が嵌合あるいは解放を繰り返すことができることで、構造部材８０を連結したり分離したりすることができる。図２に示される数の構造部材８０の連結を、嵌合構造１が実現したり、図３に示される数の構造部材８０の連結を、嵌合構造１が実現したりする。
【０１２１】
また、嵌合構造１の解放によって、構造部材８０同士は分離できる。この分離によって、構造部材８０の数を減ずることができる。たとえば、図３から図２の状態にすることができる。
【０１２２】
構造部材８０が嵌合構造１で連結されて、必要に応じて角部材５０なども用いられることで、様々な形状の構造体５００が実現できる。図１のような枠体の構造体５００である。
【０１２３】
ここで、嵌合構造１は、上述したように、手作業による組み合わせと回動により嵌合状態を実現できる。また凸部同士のかしめと係止部同士の係止により、複数の箇所の点接触での嵌合状態となる。この嵌合状態は、強い嵌合力を有している。特に、後述するように嵌合方向への回動力が加わっても、嵌合力が高まり、嵌合力が下がりにくい。このため、高い嵌合力で、構造部材８０同士が連結できる。この高い嵌合力による連結で、構造部材８０同士の連結による構造体５００が実現できる。
【０１２４】
図１のような枠体の構造体５００は、構造部材８０同士の連結のみで実現できるので、作業効率がきわめて高い。また、枠体だけでなく箱体や筐体なども、構造部材８０同士の連結を基本として構成できるので、様々な用途の構造体５００を実現しやすい。
【０１２５】
このような嵌合構造１を含む構造体５００であることで、連結する構造部材８０の数、形状を異ならせることで、構造体５００の大きさおよび形状の少なくとも一つを異ならせることができる。たとえば、図１の構造体５００での幅方向に連結される構造部材８０の数を増やせば、幅の大きな枠体である構造体５００が実現できる。
【０１２６】
あるいは、連結される構造部材８０の数を減少させることで、構造体５００の大きさを小さくできる。図１であれば、幅方向に連結される構造部材８０の数を減らすことで、幅の小さな枠体とすることができる。
【０１２７】
いずれの場合も、嵌合構造１での簡易な嵌合作業によって、構造部材８０の数を調整できて、構造体５００の大きさを様々にすることができる。
【０１２８】
逆に、嵌合構造１は、係止状態を解消した後で解放方向に回動させることで、嵌合状態を解放できる。この解放によって、構造部材８０同士を分離できる。この分離によって、構造体５００の大きさを小さくすることができる。あるいは、形状を変化させることができる。あるいは、構造体５００を分解した状態とすることができる。
【０１２９】
例えば、図１に示されるような構造体５００を使用した後で、これを廃棄する必要がある場合がある。このとき、角部材５０などを取り外した後であれば、嵌合構造１を解放することで、構造部材８０同士の分離が可能である。たとえば、図２、図３の状態において、嵌合構造１Ａを解放すれば、構造部材２８と構造部材３８とを分離することができる。この分離によって、構造体５００を分解することができる。
【０１３０】
この分解の際も、手作業での嵌合構造１の解放によるので、作業が非常に容易である。
【０１３１】
以上のように、本発明の実施の形態１における構造体５００は、嵌合構造１での回動による嵌合の実現で、構造部材８０を連結して構成できる。嵌合力も高く、嵌合状態への実現も容易であり、様々な形状、大きさの構造体５００をフレキシブルに実現できる。また、分解も容易である。
【０１３２】
（実施の形態２）
【０１３３】
次に実施の形態２について説明する。実施の形態２では、嵌合構造１の詳細などについて説明する。
【０１３４】
（受け部材）
図６は、本発明の実施の形態２における受け部材の側面図である。図４、図５で説明した受け部材２が示されている。
【０１３５】
上述した通り、受け部材２は、受け部材内周部２５、受け部材外周部２６、受け部材第１凸部２１、受け部材第２凸部２２、受け部材第３凸部２３、受け部材係止部２４を備える。また、受け部材内周部２５は、嵌め部材内周部３５の内部に挿入されて組み合される。挿入においては、図６の図面の貫通方向において、受け部材２と嵌め部材３とを通すようにして挿入すればよい。
【０１３６】
受け部材２は、嵌め部材３と組み合されて使用される。このため、分離した別部材であるが、何らかの部分で嵌め部材３と接続していることがあってもよい。この場合には、組み合わせや回動が可能な柔軟性をもって接続していればよい。
【０１３７】
また、図６に示される受け部材２の形状は一例である。複数の凸部同士のかしめによる嵌合と、係止部材同士の係止による嵌合保持ができ、回動による嵌合と解放ができる構成であれば、図６の形状に限定されない。また、受け部材第１凸部２１〜受け部材第３凸部２３の３つの凸部を備えているが、受け部材第４凸部のように４つ以上の凸部が備わることでもよい。
【０１３８】
また、図６に示されるように受け部材２は構造部材２８につながっている態様でもよいし、分離している態様でもよい。
【０１３９】
（嵌め部材）
図７は、本発明の実施の形態２における嵌め部材の側面図である。図３、図４で説明した嵌め部材３を示している。嵌め部材３は、受け部材２と合わせて、嵌合構造１（嵌合部材）を構成する。
【０１４０】
上述した通り、嵌め部材３は、嵌め部材内周部３５および嵌め部材外周部３６を備える。図７のように、嵌め部材内周部３５と嵌め部材外周部３６は、嵌め部材３の一部である。また、嵌め部材内周部３５は、その内部に受け部材内周部２５を挿入可能な形状と大きさを有している。また、受け部材内周部２５と回動可能に組み合されるように、受け部材内周部２５と嵌め部材内周部３５は、円弧のような曲線を有している。
【０１４１】
また、嵌め部材内周部３５は、嵌め部材第１凸部３１、嵌め部材第２凸部３２、嵌め部材第３凸部３３を有している。嵌め部材外周部３６は、嵌め部材係止部３４を有している。これらは、受け部材の凸部と接触対応関係を有し、受け部材２の係止部と係止対応関係を有する。この受け部材２との組み合わせにおいて、回動方向への回動のみで、嵌合が実現される。逆に解放方向への回動だけで嵌合が解放される。
【０１４２】
嵌め部材３も、受け部材２と同様に、回動による嵌合と解放ができれば図７の形状に限定されるものではない。また、受け部材２での凸部の数に合わせて、嵌め部材３においても、嵌め部材第４凸部のように４つ以上の凸部が備わってもよい。このとき、凸部の数や位置は、受け部材２の凸部の数や位置に対応する。もちろん、係止部も同様である。
【０１４３】
（嵌合の強化）
上述したように、受け部材２と嵌め部材３とを所定の状態（受け部材内周部２５が嵌め部材内周部３５の内側に入るようにして）で嵌合方向に回動させるだけで、受け部材２と嵌め部材３とが嵌合する。この嵌合により、嵌合構造１（嵌合部材）は、嵌合を実現できる。
【０１４４】
ここで、受け部材第１凸部２１、受け部材第２凸部２２、受け部材第３凸部２３は、受け部材内周部２５に沿って設けられる。上述の通り、受け部材内周部２５は、円弧状の曲線を有している。このため、受け部材第１凸部２１、受け部材第２凸部２２および受け部材第３凸部２３をつなぐ仮想線は、円弧上を有する。
【０１４５】
同様に、嵌め部材第１凸部３１、嵌め部材第２凸部３２、嵌め部材第３凸部３３は、嵌め部材内周部３５に沿って設けられる。上述の通り、嵌め部材内周部３５は、円弧上の曲線を有している。このため、嵌め部材第１凸部３１、嵌め部材第２凸部３２、嵌め部材第３凸部３３をつなぐ仮想線は、円弧上を有する。
【０１４６】
また、嵌め部材３に構造部材３８がつながっていることも好適である。もちろん、別体でもよい。嵌め部材３に構造部材３８がつながっていることで、受け部材２と嵌め部材３とが嵌合されれば、そのまま構造部材２８と構造部材３８とが連結できる。
【０１４７】
このような状態で、受け部材第１凸部２１と嵌め部材第１凸部３１との接触位置、受け部材第２凸部２２と嵌め部材第２凸部３２との接触位置、受け部材第３凸部３１と嵌め部材第３凸部３３との接触位置により形成される円弧の回動軸と、受け部材内周部２５（嵌め部材内周部３５）の回動軸とは、不一致である。それぞれの円弧の回動軸となる中心が不一致であるということである。
【０１４８】
この不一致であることによって、嵌合方向への回動がより進もうとする場合には、受け部材第１凸部２１と嵌め部材第１凸部３１とのかしめが強化され、受け部材第２凸部２２と嵌め部材第２凸部３２とのかしめが強化され、受け部材第３凸部２３と嵌め部材第３凸部３３とのかしめが強化される。すなわち、嵌合方向への回動が進みすぎようとする力が加わっても、かしめの力は上がるだけとなり、嵌合が強化されることはあっても嵌合が弱くなることはない。
【０１４９】
回動のみで嵌合が実現されるが、回動の過剰による嵌合が強くなっても弱くなることがないことで、必要に応じて構造部材を連結する作業においても悪影響が生じない。もちろん、回動が弱い場合でもかしめにより嵌合してしまえば、係止部材同士による保持により、嵌合が保持されるので嵌合が外れるなどの問題も防止できる。
【０１５０】
あるいは、嵌合構造１の嵌合が実現された後で、誤って解放方向に回動力が加わっても、受け部材係止部２４と嵌め部材係止部３４との係止によって、嵌合が外れてしまうことも防止できる。
【０１５１】
このように、必要に応じて構造部材同士の連結を行う際に、回動のみで嵌合ができる。このとき、回動の過不足によって、嵌合が不十分となったり外れたりしてしまうことも防止できる。また、係止部での係止を外しておくことで、回動のみによって、嵌合を解放することもできる。既述した通り、嵌合構造１の嵌合で構造部材８０同士の連結ができ、嵌合構造１の解放で構造部材８０同士の分離ができる。これらの組み合わせにより、構造体５００が様々な態様で実現できる。
【０１５２】
また、第１凸部〜第３凸部に加えて第４凸部なども設けられることで、嵌合する接触位置が増えて、嵌合力を上げることも好適である。なお、この場合には、回動のみによる嵌合の簡素化を妨げない程度であることが好ましい。
【０１５３】
また、組み合わせた後での回動作業のみで嵌合でき、嵌合力も十分であることで、構造部材８０の連結などが必要な場面で簡単に嵌合作業を行える。このため、構造部材の連結を作業現場で容易に行うこともできる。簡単に行えることで、構造部材の多数の連結も容易に行える。面接触のような加工精度は不要であることで、嵌合不具合も生じにくく、構造部材８０の連結を確実かつ簡単に行える。
【０１５４】
また、高い加工精度で受け部材２や嵌め部材３を製造する必要がないので、たとえば、金属押し出し加工などのような廉価な製造方法でも製造できる。結果として、嵌合構造１（嵌合部材）の低コスト化が実現できる。ほぞのような面接触での嵌合構造であれば、接触面の加工精度を高める必要があり、研磨工程などの余分な工程を必要とする。これに対して、本発明の嵌合構造１は、点接触での組み合わせによるだけなので、このような加工精度を高める余分な工程を減少させることができる。このため、実際の嵌合実現の際に、嵌合不充分となる不具合を減少させることができる。もちろん、製造コストや作業コストを低減できる。
【０１５５】
また、解放方向への回動のみで嵌合を解放できるので、連結後の分離なども容易にできる。このため、構造部材８０を連結あるいは分離して大きさを変化させたい機器、筐体、構造体などを実現することが容易となる。特に、嵌合にねじや接着剤などを使用しないので、嵌合の取り外しが可能である上に、回動することで再び嵌合させることができるからである。
【０１５６】
このように実施の形態１の嵌合構造１（嵌合部材）は、組み合わせと回動のみで、高い嵌合力での嵌合と分離を繰り返すことができる。この結果、様々な機器、筐体、構造体などでの大きさの変化や形状の変化を実現することが容易となる。
【０１５７】
なお、これらの説明は、嵌合構造１が嵌合部材とした場合でも同様である。嵌合部材も、実施の形態１で説明したものと同様である。
【０１５８】
（実施の形態３）
次に、実施の形態３について説明する。実施の形態３では、図１で示したような枠体の構造体５００を構成する場合を例として、構造部材８０の連結と角部材５０のような他の部材との組み合わせにより、種々の構造体５００を実現する場合について説明する。
【０１５９】
図８は、本発明の実施の形態３における構造体を構成する部材の一部を示す斜視図である。図２、図３などで説明した複数の構造部材８０が嵌合構造１で連結されている一部構造体１００と、角部材５０とが示されている。
【０１６０】
一部構造体１００は、図８では、３つの構造部材８０が２つの嵌合構造１によって連結されている。幅方向に連結されており、図１のような構造体５００の一部を構成できる。枠体のような構造体５００の一つの辺の幅方向の大きさが、嵌合構造１で連結される構造部材８０の数によって調整できる。
【０１６１】
構造体５００が図１に示されるような枠体であったり、箱体、筐体などの形態であったりする場合には、一部構造体１００のみでは構成できない。例えば、枠体の一辺であれば、これを複数組み合わせて枠体とすることが必要である。図８では、一辺である一部構造体１００を他の一部構造体と連結するために、角部材５０が組み合される前の状態を示している。
【０１６２】
角部材５０は、一辺である一部構造体１００の端部に挿入されて角部を形成できる。ここで、角部材５０は、挿入部５１を備えており、構造部材８０の端部における受け部８１に挿入される。この挿入により、角部材５０と一部構造体１００とが連結される。
【０１６３】
図９は、図８の後の状態であり、受け部８１に挿入部５１が挿入されて、一部構造体１００と角部材５０とが連結された状態を示す斜視図である。
【０１６４】
図８の状態で、受け部８１に挿入部５１が挿入されて連結されると、一部構造体１００に角部材５０が連結される。この連結により、一辺を形成するに過ぎない一部構造体１００が、枠体や箱体を形成できる状態となる。
【０１６５】
図９を外側から見ると図１０のようになる。図１０は、本発明の実施の形態３における一部構造体に角部材が連結された構造体の一部の斜視図である。角部材５０は、下方向にも挿入部５１を備えている。この挿入部５１を用いて、図１０の上辺のような一部構造体１００が連結される。このような連結が更に別の部分に一部構造体１００がつながっていく。
【０１６６】
最終的には、図１１のような枠体である構造体５００が実現できる。図１１は、本発明の実施の形態３における枠体の態様を有する構造体の斜視図である。
【０１６７】
図１１の構造体５００は、辺を形成する４つの一部構造体１００が、４つの角部材５０で連結されている。この連結により、角部のそれぞれとが一部構造体１００によって連結されて、枠体が実現されている。
【０１６８】
また、角部材５０は、構造部材８０の一つずつに対応するユニットに分離されていることも好適である。この場合には、最初に枠体の４つの辺を構成する構造部材８０と角部材５０のユニットが連結された後で、構造部材８０同士が、幅方向において嵌合構造１で嵌合されてもよい。この幅方向の嵌合によって、枠体の幅を大きくすることができる。図１２は、これを示している。
【０１６９】
図１２は、本発明の実施の形態３における枠体を構成する一連の模式図である。図１２に示されるように、枠体の幅が、構造部材８０の連結によって大きくなっていく。もちろん、逆でもよい。
【０１７０】
図１３は、本発明の実施の形態３における角部材の斜視図である。角部材５０は、複数のユニット５２から構成されてもよい。図１３では、ユニット５２Ａ、５２Ｂ、５２Ｃの３つのユニットから、角部材５０が構成されている。このユニット５２は、分離することも連結することも可能で、構造部材８０によって幅の変わった状態に対応して、角部材５０も複数のユニット５２の連結によって、その大きさを変えることができる。その大きさを変えることで、枠体の大きさの変化を実現できる。
【０１７１】
図１４は、本発明の実施の形態３における角部材のユニットによる連結あるいはユニットへの分離を示す模式図である。図１４のように、ユニット５２Ａ、ユニット５２Ｂ、ユニット５２Ｃのそれぞれは、別体として設けられる。これらユニット５２Ａ、ユニット５２Ｂ、ユニット５２Ｃが連結されると、角部材５０が実現できる。逆に、角部材５０が、ユニット５２Ａ、ユニット５２Ｂ、ユニット５２Ｃに分離されてもよい。
【０１７２】
任意の数のユニット５２が組み合されればよいので、角部材５０の大きさも任意に定まる。
【０１７３】
このように、枠体や箱体を構成する場合には、角部材５０が一部構造体１００と組み合されればよい。このとき、角部材５０も一部構造体１００の大きさの変化に合わせて、ユニット５２の組み合わせで大きさを変化させることができる。この変化によって、最終的に構成される構造体５００の大きさを、構造部材８０の数の変化などに合わせて変化させることができる。
【０１７４】
結果として、大きさ、形状などのフレキシビリティが実現できる。特に、手作業でも可能であり、現場での変化の実現が可能となるメリットがある。
【０１７５】
なお、実施の形態１〜３で説明された構造体は、本発明の趣旨を説明する一例であり、本発明の趣旨を逸脱しない範囲での変形や改造を含む。
【符号の説明】
【０１７６】
１    嵌合構造
２    受け部材
２１    受け部材第１凸部
２２    受け部材第２凸部
２３    受け部材第３凸部
２４    受け部材係止部
２５    受け部材内周部
２６    受け部材外周部
２８    第１構造部材
３    嵌め部材
３１    嵌め部材第１凸部
３２    嵌め部材第２凸部
３３    嵌め部材第３凸部
３４    嵌め部材係止部
３５    嵌め部材内周部
３６    嵌め部材外周部
３８    第２構造部材
５０    角部材
５１    挿入部
５２    ユニット
８０    構造部材
８１    受け部
１００    一部構造体
１０１    凸部
１０２    凹部
２００    隙間
５００    構造体
【図１】
2020128802.tif 000003
【図２】
2020128802.tif 000004
【図３】
2020128802.tif 000005
【図４】
2020128802.tif 000006
【図５】
2020128802.tif 000007
【図６】
2020128802.tif 000008
【図７】
2020128802.tif 000009
【図８】
2020128802.tif 000010
【図９】
2020128802.tif 000011
【図１０】
2020128802.tif 000012
【図１１】
2020128802.tif 000013
【図１２】
2020128802.tif 000014
【図１３】
2020128802.tif 000015
【図１４】
2020128802.tif 000016
【図１５】
2020128802.tif 000017